(57)【特許請求の範囲】
【請求項１】
上弦材（２１）と傾斜部材（２２）を相互に接合してなる４面体状単位架構の傾斜部材（２２）を所定の高さと角度または曲率で内側に折り曲げ、折り曲げた箇所を相互につなぎ材（５６）でつなぐことにより変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする建造物。
【請求項２】
上弦材（２１）と傾斜部材（２２）を相互に接合してなる４面体状単位架構の傾斜部材（２２）を所定の高さと角度で内側に折り曲げ、折り曲げた箇所で上部傾斜部材（２２a）と下部傾斜部材（２２b）に分断し、折り曲げた箇所で、上部傾斜部材（２２a）、下部傾斜部材（２２b）、折り曲げた個所を相互につなぐつなぎ材（５６）及び折り曲げた個所と前記上弦材（２１）を上弦材（２１）中央部でつなぐつなぎ材（５７）を相互に接合基材（５８）を介して接合することにより変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする建造物。
【請求項３】
前記接合基材（５８）を４面体の接合基材とし、前記接合基材（５８）に、上弦材（２１）、上部傾斜部材（２２a）、下部傾斜部材（２２b）、つなぎ材（５６）またはつなぎ材（５７）と接合するためのヒンジ付ボルト（５）または直接に接合するためのねじ孔（６）を、前記４面体（３）の中心（１０）に向けて設けたことを特徴とする請求項２記載の建造物。
【請求項４】
４面体（３）を、前記４面体（３）の４面をそれぞれが持ち、前記４面体（３）の中心（１０）を共有するように４等分して４箇の４面体の接合基材（１、２）をつくり、前記接合基材（１、２）に軸部材（４）と接合するためのヒンジ付ボルト（５）または軸部材（４）と直接に接合するためのねじ孔を、前記４面体（３）の中心（１０）に向けて設け、さらに前記接合基材（１、２）を相互に接合するためのボルト孔７を設け、前記接合基材（１、２）を介して軸部材（４）を相互に接合して４面体状単位架構（２３）等の構造ユニット（８）を造り、前記接合基材（１、２）を前記４面体（３）の形になるように相互に、前記ボルト孔７を用いてボルト（９）で接合することによって、前記構造ユニット（８）を平面的、立面的に連接する接合装置、及び前記上弦材（２１）、傾斜部材、上部傾斜部材（２２a）または下部傾斜部材（２２b）に前記軸部材（４）を用いたことを特徴とする請求項１、２または３記載の建造物。
【請求項５】
前記接合装置のねじ孔（６）またはボルト孔（７）を設ける面を概略円形に加工したことを特徴とする請求項３または４記載の建造物。
【請求項６】
前記４面体（３）を球体に替えて、球体の中心を共有するように４等分して４個の部分球状接合基材をつくり、前記接合基材（１、２）に替えて前記部分球状接合基材を用いたことを特徴とする請求項４記載の建造物。
【発明の詳細な説明】
【技術分野】
【０００１】
本発明は、変形４面体状単位架構による建造物に関するものである。
【背景技術】
【０００２】
上弦材と傾斜部材を相互に接合して４面体状単位架構（３角錐状単位架構）を構成し、前記４面体状単位架構を平面的、立面的に連接して立体トラスとし、これによってできる種々の構造物を提案した。（特許文献１参照）
【０００３】
前記４面体状単位架構等の構造ユニットをつくる接合装置、また、この構造ユニットを相互に接合する接合装置を提案した。（特許文献２参照）
【特許文献１】特願２００１−１７８７２３
【特許文献２】特許公報  特許第３８６７１２８号
【０００４】
前記接合装置を改良した接合装置を提案し、また、この接合装置を用いた建造物を提案した。（特許文献３参照）
【特許文献３】特願２００７−１８５１４２（特願２００８―１１０８１９）
【発明の開示】
【発明が解決しようとする課題】
【０００５】
前記文献３で提案した建造物（２６）では、立体トラス構造内の空間を利用するには、一般のラーメン構造物等に比べて、傾斜部材（２２）が人の歩行等に支障になることが多いと考えられる。
【０００６】
従来立体トラスを構成する軸部材の接合基材に球体が使われることが多かった。軸部材の断面（太さ）に合わせて球体の大きさを変える必要がある。製造するに当たって球体の大きさを変えるよりも４面体の大きさを変える方が容易であることは明白である。なぜならば、４面体の大きさを変えるには、鋳造するに当たって鋳型の高さを変えるだけで良いからである。
【課題を解決するための手段】
【０００７】
上弦材（２１）と傾斜部材（２２）を相互に接合してなる４面体状単位架構の傾斜部材（２２）を所定の高さと角度または曲率で内側に折り曲げ、折り曲げた箇所を相互につなぎ材（５６）でつなぐことにより変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする。
【０００８】
上弦材（２１）と傾斜部材（２２）を相互に接合してなる４面体状単位架構の傾斜部材（２２）を所定の高さと角度で内側に折り曲げ、折り曲げた箇所で上部傾斜部材（２２a）と下部傾斜部材（２２b）に分断し、折り曲げた箇所で、上部傾斜部材（２２a）、下部傾斜部材（２２b）、折り曲げた個所を相互につなぐつなぎ材（５６）及び折り曲げた個所と前記上弦材（２１）を上弦材（２１）中央部でつなぐつなぎ材（５７）を相互に接合基材（５８）を介して接合することにより変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする。
【０００９】
前記接合基材（５８）を４面体の接合基材とし、前記接合基材（５８）に、上弦材（２１）、上部傾斜部材（２２a）、下部傾斜部材（２２b）、つなぎ材（５６）またはつなぎ材（５７）と接合するためのヒンジ付ボルト（５）または直接に接合するためのねじ孔（６）を、前記４面体（３）の中心（１０）に向けて設けたことを特徴とする。
【００１０】
４面体（３）を、前記４面体（３）の４面をそれぞれが持ち、前記４面体（３）の中心（１０）を共有するように４等分して４箇の４面体の接合基材（１、２）をつくり、前記接合基材（１、２）に軸部材（４）と接合するためのヒンジ付ボルト（５）または軸部材（４）と直接に接合するためのねじ孔を、前記４面体（３）の中心（１０）に向けて設け、さらに前記接合基材（１、２）を相互に接合するためのボルト孔７を設け、前記接合基材（１、２）を介して軸部材（４）を相互に接合して４面体状単位架構（２３）等の構造ユニット（８）を造り、前記接合基材（１、２）を前記４面体（３）の形になるように相互に、前記ボルト孔７を用いてボルト（９）で接合することによって、前記構造ユニット（８）を平面的、立面的に連接する接合装置、及び前記上弦材（２１）、傾斜部材、上部傾斜部材（２２a）または下部傾斜部材（２２b）に前記軸部材（４）を用いたことを特徴とする。
【００１１】
前記接合装置のねじ孔（６）またはボルト孔（７）を設ける面を概略円形に加工したことを特徴とする。
【００１２】
前記４面体（３）を球体に替えて、球体の中心を共有するように４等分して４個の部分球状接合基材をつくり、前記接合基材（１、２）に替えて前記部分球状接合基材を用いたことを特徴とする。
【発明の効果】
【００１３】
４面体状単位架構の傾斜部材（２２）を所定の高さと角度または曲率で内側に折り曲げて傾斜部材の床面に対する角度を大きくすることによって、立体トラス構造内の空間を利用しやすくなる。
【００１４】
軸部材相互の接合及び変形４面体状単位架構の接合に４面体の接合基材を使用する事によって、接合基材を球状等の接合基材に比べて質量をより小さく及び安価にすることができる。
【発明を実施するための最良の形態】
【００１５】
以下、本発明を図示する実施形態に基づいて説明する。
図１の（１）は、変形４面体状単位架構実施例の正面図。
図１の（２）は、変形４面体状単位架構実施例の平面図。
図２の（１）は、図２の（２）のＡ−Ａ断面図。但し下層部後列の変形４面体状単位架構（５５）は省略している。
図２の（２）は、建造物（２６）実施例の平面図。但し床を省略している。従って立体トラス（６０）の平面図も示す。
上弦材（２１）と傾斜部材（２２）を相互に接合してなる４面体状単位架構の傾斜部材（２２）を所定の高さと角度または曲率で内側に折り曲げ、折り曲げた箇所を相互につなぎ材（５６）でつなぐことにより変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする。
図１、図２における接合基材（１、２）は、図４に示されている。即ち４面体（３）を４等分した接合基材である。変形４面体状単位架構を連接した接合部で接合基材（１、２）は、合体して元の４面体（３）の形になってボルト（９）で接合される。
【００１６】
図３の（１）は、変形４面体状単位架構の別な実施例の正面図。
図３の（２）は、図３（１）の平面図である。
上弦材（２１）と傾斜部材（２２）を相互に接合してなる４面体状単位架構の傾斜部材（２２）を所定の高さと角度で内側に折り曲げ、折り曲げた箇所で上部傾斜部材（２２a）と下部傾斜部材（２２b）に分断し、折り曲げた箇所で、上部傾斜部材（２２a）、下部傾斜部材（２２b）、折り曲げた個所を相互につなぐつなぎ材（５６）及び折り曲げた個所と前記上弦材（２１）を上弦材（２１）中央部でつなぐつなぎ材（５７）を相互に接合基材（５８）を介して接合することにより変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする。
【００１７】
前記接合基材（５８）を４面体の接合基材とし、前記接合基材（５８）に、上弦材（２１）、上部傾斜部材（２２a）、下部傾斜部材（２２b）、つなぎ材（５６）またはつなぎ材（５７）と接合するためのヒンジ付ボルト（５）または直接に接合するためのねじ孔（６）を、前記４面体（３）の中心（１０）に向けて設けたことを特徴とする。
図３における接合基材（５８）は、図４の４面体（３）において、ボルト（９）及び接合基材（１、２）の分断線（点線及び実線表示）を削除したものに相当する。上弦材（２１）等を接合基材（５８）の中心に向けて接合することによって、ヒンジ付ボルト（５）に曲げの力が掛かることがない。
【００１８】
図４の（１）は、接合装置実施例の平面図である。
図４の（２）は、接合装置実施例の正面図である。
４面体（３）を、前記４面体（３）の４面をそれぞれが持ち、前記４面体（３）の中心（１０）を共有するように４等分して４箇の４面体の接合基材（１、２）をつくり、前記接合基材（１、２）に軸部材（４）と接合するためのヒンジ付ボルト（５）または軸部材（４）と直接に接合するためのねじ孔を、前記４面体（３）の中心（１０）に向けて設け、さらに前記接合基材（１、２）を相互に接合するためのボルト孔（７）を設け、前記接合基材（１、２）を介して軸部材（４）を相互に接合して４面体状単位架構（２３）等の構造ユニット（８）を造り、前記接合基材（１、２）を前記４面体（３）の形になるように相互に、前記ボルト孔（７）を用いてボルト（９）で接合することによって、前記構造ユニット（８）を平面的、立面的に連接する接合装置、及び前記上弦材（２１）、傾斜部材、上部傾斜部材（２２a）または下部傾斜部材（２２b）に前記軸部材（４）を用いたことを特徴とする。
【００１９】
前記接合装置のねじ孔（６）とボルト孔（７）を設ける面を概略円形に加工したことを特徴とする。
【００２０】
前記４面体（３）を球体に替えて、球体の中心を共有するように４等分して４個の部分球状接合基材をつくり、前記接合基材（１、２）に替えて前記部分球状接合基材を用いたことを特徴とする。
【図面の簡単な説明】
【００２１】
【図１】（１）は、本発明の変形４面体状単位架構（５５）の正面図。（２）は、（１）の平面図。
【図２】（１）は、（２）のＡ−Ａ断面図。（２）は、建造物（２６）の平面図。但し床は省略している。
【図３】（１）は、別な変形４面体状単位架構（６５）の実施例の正面図。（２）は、（１）の平面図。
【図４】（１）は、  接合装置実施例の平面図。（２）は、接合装置実施例の正面図。
【符号の説明】
【００２２】
１、２          接合基材
３              ４面体
４              軸部材
５              ヒンジ付きボルト
６              ねじ孔
７              ボルト孔
８              構造ユニット
９、１２        ボルト
１０            ４面体中心
１１            締め付けナット
２１            上弦材
２２            傾斜部材
５５，６５      変形４面体状単位架構
５６，５７      つなぎ材
２４            上弦つなぎ材
２５            床
２６            建造物
５８            接合基材
６０            立体トラス
【要約】
【課題】立体トラス構造内の空間を利用するには、一般のラーメン構造物等に比べて、傾斜部材（２２）が人の歩行等に支障になる。
【解決手段】上弦材（２１）と傾斜部材（２２）を相互に接合してなる４面体状単位架構の傾斜部材（２２）を所定の高さと角度または曲率で内側に折り曲げ、折り曲げた箇所を相互につなぎ材（５６）でつなぐこと等により変形４面体状単位架構（５５）を構成し、前記変形４面体状単位架構（５５）を上弦材（２１）が重複しないように平面的、立面的に連接し、外周の上弦材交点を上弦つなぎ材（２４）でつなぐことにより立体トラス（６０）を構成し、前記立体トラス（６０）の各層に床（２５）を取り付けてなることを特徴とする。
【選択図】図２【図１】
0004178280.tif 000002
【図２】
0004178280.tif 000003
【図３】
0004178280.tif 000004
【図４】
0004178280.tif 000005